(57)【要約】【課題】接続のための中継プリント基板のコストを低減できるプリント基板相互の電気的接続構造を得る。【解決手段】プリント基板１と別のプリント基板２とを、これらの基板にそれぞれ接続した基板用コネクタソケット３と、両端がカードエッジプラグとなっている中継プリント基板５とで相互に接続する。中継プリント基板５としてハード構造の中継ハードプリント基板を用いる。各基板用コネクタソケット３としてフローティング構造の基板用フローティングコネクタソケットを用いる。【選択図】図４
2007165128.tif 000002
【特許請求の範囲】
【請求項１】
プリント基板と別のプリント基板とが、これらの基板にそれぞれ接続された基板用コネクタソケットと、両端がカードエッジプラグとなっている中継プリント基板とで相互に接続されているプリント基板相互の電気的接続構造であって、
前記中継プリント基板としてハード構造の中継ハードプリント基板が用いられ、
前記各基板用コネクタソケットとしてフローティング構造の基板用フローティングコネクタソケットが用いられていることを特徴とするプリント基板相互の電気的接続構造。
【請求項２】
前記基板用フローティングコネクタソケットは、固定コネクタハウジングと、該固定コネクタハウジングに組み込まれて該固定コネクタハウジングに対して揺動する揺動コネクタハウジングと、該揺動コネクタハウジングのカードエッジ挿入長孔に一端側の接触部を臨ませて該揺動コネクタハウジングに組み込まれたコンタクトとを備え、前記コンタクトの反対側の端子部分が前記固定コネクタハウジングに固定され、前記揺動コネクタハウジングと前記固定コネクタハウジングとの間の前記コンタクトの部分が該揺動コネクタハウジングが揺動可能になるように屈曲された屈曲部となっていることを特徴とする請求項１に記載のプリント基板相互の電気的接続構造。
【請求項３】
前記基板用フローティングコネクタソケットは、前記カードエッジ挿入長孔のカードエッジ挿入方向が該ソケットの取り付け面に対して直交する方向を向いていることを特徴とする請求項２に記載のプリント基板相互の電気的接続構造。
【請求項４】
前記基板用フローティングコネクタソケットは、前記カードエッジ挿入長孔のカードエッジ挿入方向が該ソケットの取り付け面に対して平行する方向を向いていることを特徴とする請求項２に記載のプリント基板相互の電気的接続構造。
【発明の詳細な説明】
【技術分野】
【０００１】
本発明は、プリント基板と別のプリント基板とが、これらの基板にそれぞれ接続された基板用コネクタソケットと、両端がカードエッジプラグとなっている中継プリント基板とで相互に接続するプリント基板相互の電気的接続構造に関するものである。
【背景技術】
【０００２】
従来のこの種のプリント基板相互の電気的接続構造では、中継プリント基板としてフレキシブルプリント基板を使用していた（例えば、特許文献１参照。）。
【０００３】
このように中継プリント基板としてフレキシブルプリント基板を使用すると、両プリント基板にそれぞれ設けられている各基板用コネクタソケットの相互位置がずれていても、フレキシブルプリント基板の柔軟性を利用して各カードエッジプラグを各基板用コネクタソケットのカードエッジ挿入長孔に容易に挿入して接続を行うことができる。
【特許文献１】特開２００４−２１３９１８号公報
【発明の開示】
【発明が解決しようとする課題】
【０００４】
しかしながら、中継プリント基板としてフレキシブルプリント基板を使用すると、フレキシブルプリント基板はその製造コストが高価になり、接続のためのコストが高くなってしまう問題点があった。
【０００５】
本発明の目的は、接続のための中継プリント基板のコストを低減できるプリント基板相互の電気的接続構造を提供することにある。
【０００６】
本発明の他の目的は、接続のための基板用コネクタソケットのコストを低減できるプリント基板相互の電気的接続構造を提供することにある。
【０００７】
本発明の他の目的は、基板用コネクタソケットのカードエッジ挿入長孔のカードエッジ挿入方向を該ソケットの取り付け面に対して直交する方向に向けることができるプリント基板相互の電気的接続構造を提供することにある。
【０００８】
本発明の他の目的は、基板用コネクタソケットのカードエッジ挿入長孔のカードエッジ挿入方向を該ソケットの取り付け面に対して平行する方向に向けることができるプリント基板相互の電気的接続構造を提供することにある。
【課題を解決するための手段】
【０００９】
上記の目的を達成する本発明の構成を説明すると、次のとおりである。
【００１０】
本発明は、プリント基板と別のプリント基板とが、これらの基板にそれぞれ接続された基板用コネクタソケットと、両端がカードエッジプラグとなっている中継プリント基板とで相互に接続されているプリント基板相互の電気的接続構造を対象とする。
【００１１】
本発明に係るプリント基板相互の電気的接続構造では、
前記中継プリント基板としてハード構造の中継ハードプリント基板が用いられ、
前記各基板用コネクタソケットとしてフローティング構造の基板用フローティングコネクタソケットが用いられていることを特徴とする。
【００１２】
ここで前記基板用フローティングコネクタソケットは、固定コネクタハウジングと、該固定コネクタハウジングに組み込まれて該固定コネクタハウジングに対して揺動する揺動コネクタハウジングと、該揺動コネクタハウジングのカードエッジ挿入長孔に一端側の接触部を臨ませて該揺動コネクタハウジングに組み込まれたコンタクトとを備え、前記コンタクトの反対側の端子部分が前記固定コネクタハウジングに固定され、前記揺動コネクタハウジングと前記固定コネクタハウジングとの間の前記コンタクトの部分が該揺動コネクタハウジングが揺動可能になるように屈曲された屈曲部となっていることが好ましい。
【００１３】
また、前記基板用フローティングコネクタソケットは、前記カードエッジ挿入長孔のカードエッジ挿入方向が該ソケットの取り付け面に対して直交する方向を向いていることが好ましい。
【００１４】
さらに、前記基板用フローティングコネクタソケットは、前記カードエッジ挿入長孔のカードエッジ挿入方向が該ソケットの取り付け面に対して平行する方向を向いていることが好ましい。
【発明の効果】
【００１５】
本発明に係るプリント基板相互の電気的接続構造では、中継プリント基板としてハード構造の中継ハードプリント基板を用いているので、このハード構造のプリント基板はフレキシブルプリント基板に比べて安く、このため接続のための中継プリント基板のコストを低減することができる。また、中継プリント基板としてハード構造の中継ハードプリント基板を用いても、これを接続する各基板用コネクタソケットとしてフローティング構造の基板用フローティングコネクタソケットを用いているので、接続位置の狂いを各基板用フローティングコネクタソケットのフローティング構造で調整して容易に接続を行うことができる。
【００１６】
ここで、基板用フローティングコネクタソケットが、固定コネクタハウジングと、該固定コネクタハウジングに組み込まれて該固定コネクタハウジングに対して揺動する揺動コネクタハウジングと、該揺動コネクタハウジングのカードエッジ挿入長孔に一端側の接触部を臨ませて該揺動コネクタハウジングに組み込まれたコンタクトとを備え、コンタクトの反対側の端子部分が固定コネクタハウジングに固定され、揺動コネクタハウジングと固定コネクタハウジングとの間のコンタクトの部分が該揺動コネクタハウジングが揺動可能になるように屈曲された屈曲部となっていると、コンタクトによって固定コネクタハウジングと揺動コネクタハウジングとの相互支持と、揺動コネクタハウジングの揺動とを行わせることができて、部品点数が少なくなり、コストを低減することができる。
【００１７】
また、基板用フローティングコネクタソケットとして、カードエッジ挿入長孔のカードエッジ挿入方向が該ソケットの取り付け面に対して直交する方向を向いているものを用いると、基板用フローティングコネクタソケットのカードエッジ挿入長孔のカードエッジ挿入方向を該ソケットの取り付け面に対して直交する方向に向けることができ、ハード構造のプリント基板をソケットの取り付け面に対して直交する方向にして基板用フローティングコネクタソケットに差し込むことができる。
【００１８】
さらに、基板用フローティングコネクタソケットとして、カードエッジ挿入長孔のカードエッジ挿入方向が該ソケットの取り付け面に対して平行する方向を向いていると、基板用フローティングコネクタソケットのカードエッジ挿入長孔のカードエッジ挿入方向を該ソケットの取り付け面に対して平行する方向に向けることができ、ハード構造のプリント基板をソケットの取り付け面に対して平行する方向にして基板用フローティングコネクタソケットに差し込むことができる。
【発明を実施するための最良の形態】
【００１９】
以下、本発明に係るプリント基板相互の電気的接続構造を実施するための最良の形態を図面を参照して詳細に説明する。
【００２０】
図１乃至図３（Ａ）（Ｂ）（Ｃ）（Ｄ）は本発明に係るプリント基板相互の電気的接続構造の第１例を示したもので、図１は本例のプリント基板相互の電気的接続構造の説明図、図２（Ａ）（Ｂ）は本例で用いているハード構造の中継ハードプリント基板の正面図及び側面図、図３（Ａ）（Ｂ）（Ｃ）（Ｄ）は本例で用いている揺動コネクタソケットの正面図、平面図、左側面図及び正面図のＸ−Ｘ線断面図である。
【００２１】
本例のプリント基板相互の電気的接続構造では、対向配置されたプリント基板１と別のプリント基板２とが、これらの基板１，２にそれぞれ接続された基板用コネクタソケット３と、両端がカードエッジプラグ４となっていて各プリント基板１，２に直交配置された中継プリント基板５とで相互に接続されている。
【００２２】
中継プリント基板５としては、ハード構造の中継ハードプリント基板が用いられている。本例のハード構造の中継ハードプリント基板５は、エポキシ基板等でハード構造になっているハード基板５ａの両面に、それぞれ複数本の導体層が併設され、それぞれの表面が絶縁層５ｂで覆われた両面プリント基板になっている。このようなハード構造の中継ハードプリント基板５の両端は、カードエッジプラグ４となっている。本例のカードエッジプラグ４は、中継ハードプリント基板５の両端のハード基板５ａの両面の各導体層に接続して固定コンタクト４ａが露出させて設けられた構造になっている。
【００２３】
各基板用コネクタソケット３としては、フローティング構造の基板用フローティングコネクタソケットが用いられている。基板用フローティングコネクタソケット３は、四角形の筒状の固定コネクタハウジング６と、該固定コネクタハウジング６内に組み込まれて該固定コネクタハウジング６に対して水平方向に前後に揺動する揺動コネクタハウジング７と、該揺動コネクタハウジング７のカードエッジ挿入長孔８の幅方向の両側に一端側の各接触部９ａを対向させてそれぞれ臨ませて該揺動コネクタハウジング７に組み込まれた２列の各コンタクト９と、固定コネクタハウジング６を取り付け基板に半田付けで固定する固定部材１０とを備え、各コンタクト９の反対側の端子部分９ｂが固定コネクタハウジング６にそれぞれ固定され、揺動コネクタハウジング７と固定コネクタハウジング６との間の各コンタクト９の部分が該揺動コネクタハウジング７が揺動可能になるように屈曲された屈曲部９ｃとなっている。このような基板用フローティングコネクタソケット３は、カードエッジ挿入長孔８のカードエッジ挿入方向が該ソケット３の取り付け面３ａに対して直交する方向を向いている。
【００２４】
かかるプリント基板相互の電気的接続構造は、各基板用コネクタソケット３がその取り付け面３ａを取り付け基板の所定位置に設置して固定部材１０を取り付け基板の半田付けランドに半田付けして固定する。また、各基板用コネクタソケット３の各端子部分９ｂを取り付け基板の各端子部に半田付け接続する。かかる状態で前述したように中継ハードプリント基板５で相互の基板用コネクタソケット３を接続する。
【００２５】
このようなプリント基板相互の電気的接続構造では、中継プリント基板５としてハード構造の中継ハードプリント基板を用いているので、このハード構造のプリント基板５はフレキシブルプリント基板に比べて安く、このため接続のための中継プリント基板５のコストを低減することができる。また、中継プリント基板５としてハード構造の中継ハードプリント基板を用いても、これを接続する各基板用コネクタソケット３としてフローティング構造の基板用フローティングコネクタソケットを用いているので、接続位置の狂いを各基板用コネクタソケット３の水平方向に対する前後｛図３（Ｄ）で水平方向の左右｝のフローティング構造で調整して容易に接続を行うことができる。
【００２６】
また、基板用フローティングコネクタソケット３が、固定コネクタハウジング６と、該固定コネクタハウジング６に組み込まれて該固定コネクタハウジング６に対して揺動する揺動コネクタハウジング７と、該揺動コネクタハウジング７のカードエッジ挿入長孔８に一端側の各接触部９ａを臨ませて該揺動コネクタハウジング７に組み込まれた２列の各コンタクト９とを備え、各コンタクト９の反対側の端子部分９ｂが固定コネクタハウジング６にそれぞれ固定され、揺動コネクタハウジング７と固定コネクタハウジング６との間の各コンタクト９の部分が該揺動コネクタハウジング７が揺動可能になるように屈曲された屈曲部９ｃとなっているので、各コンタクト９によって固定コネクタハウジング６と揺動コネクタハウジング７との相互支持と、揺動コネクタハウジング７の揺動とを行わせることができて、部品点数が少なくなり、コストを低減することができる。
【００２７】
また、基板用フローティングコネクタソケット３として、カードエッジ挿入長孔８のカードエッジ挿入方向が該ソケット３の取り付け面３ａに対して直交する方向を向いているものを用いるので、基板用フローティングコネクタソケット３のカードエッジ挿入長孔８のカードエッジ挿入方向を該ソケット３の取り付け面３ａに対して直交する方向に向けることができ、ハード構造のプリント基板５をソケット３の取り付け面３ａに対して直交する方向にして基板用フローティングコネクタソケット３に差し込むことができる。
【００２８】
また、図３（Ａ）〜（Ｄ）に示す、カードエッジ挿入長孔８のカードエッジ挿入方向が該ソケット３の取り付け面３ａに対して直交する方向を向いている基板用フローティングコネクタソケット３を用いると、図４に示すようにプリント基板１と別のプリント基板２とが対向配置され、且つ相互の基板用フローティングコネクタソケット３のカードエッジ挿入長孔８が相互に対向していず、図示のようにずれて配置されていても、ハード構造の中継ハードプリント基板５の形状をクランク形にして両端に前述したようにカードエッジプラグ４を設けることにより相互の基板用フローティングコネクタソケット３をこのクランク形の中継ハードプリント基板５で容易に接続することができる。
【００２９】
また、図３（Ａ）〜（Ｄ）に示す、カードエッジ挿入長孔８のカードエッジ挿入方向が該ソケット３の取り付け面３ａに対して直交する方向を向いている基板用フローティングコネクタソケット３を用いると、図５に示すように基板用フローティングコネクタソケット３をそれぞれ有するプリント基板１と別のプリント基板２とが同一平面上に左右に分かれて配置されていても、ハード構造の中継ハードプリント基板５の形状をコ字状にして両端に前述したようにカードエッジプラグ４を設けることにより相互の基板用フローティングコネクタソケット３をこのクランク形の中継ハードプリント基板５で容易に接続することができる。
【００３０】
さらに、図３（Ａ）〜（Ｄ）に示す、カードエッジ挿入長孔８のカードエッジ挿入方向が該ソケット３の取り付け面３ａに対して直交する方向を向いている基板用フローティングコネクタソケット３を用いると、図６に示すように基板用フローティングコネクタソケット３をそれぞれ有するプリント基板１と別のプリント基板２とが、段差を有して左右に分かれて平行に配置されていても、ハード構造の中継ハードプリント基板５の形状をコ字状にして長さの異なる両端に前述したようにカードエッジプラグ４を設けることにより相互の基板用フローティングコネクタソケット３をこのクランク形の中継ハードプリント基板５で容易に接続することができる。
【００３１】
図７及び図８（Ａ）（Ｂ）（Ｃ）（Ｄ）は本発明に係るプリント基板相互の電気的接続構造の第２例を示したもので、図７は本例のプリント基板相互の電気的接続構造の説明図、図８（Ａ）（Ｂ）（Ｃ）（Ｄ）は本例で用いている揺動コネクタソケットの正面図、平面図、左側面図及び正面図のＹ−Ｙ線断面図である。なお、前出した図１乃至図３（Ａ）〜（Ｄ）と対応する部分には同一符号を付けて示している。
【００３２】
本例のプリント基板相互の電気的接続構造では、同一平面上に左右に分かれて配置されたプリント基板１と別のプリント基板２とが、これらの基板１，２にそれぞれ接続された基板用コネクタソケット３と、前述した図２（Ａ）（Ｂ）に示すように両端がカードエッジプラグ４となっていて各基板１，２に平行に配置された中継プリント基板５とで相互に接続されている。
【００３３】
各基板用コネクタソケット３は、本例でもフローティング構造の基板用フローティングコネクタソケットが用いられている。基板用フローティングコネクタソケット３は、コ字状の固定コネクタハウジング６と、該固定コネクタハウジング６内に組み込まれて該固定コネクタハウジング６に対して上下方向に揺動する揺動コネクタハウジング７と、該揺動コネクタハウジング７のカードエッジ挿入長孔８の幅方向の両側に一端側の接触部９ａをそれぞれ臨ませて該揺動コネクタハウジング７に組み込まれた２列の各コンタクト９と、揺動コネクタハウジング７が固定コネクタハウジング６から抜け出さないように保持する抜け止め部材１１とを備え、各コンタクト９の反対側の端子部分９ｂが固定コネクタハウジング６に固定され、揺動コネクタハウジング７と固定コネクタハウジング６との間の各コンタクト９の部分が該揺動コネクタハウジング７が揺動可能になるようにそれぞれ屈曲された屈曲部９ｃとなっている。このような基板用フローティングコネクタソケット３は、カードエッジ挿入長孔８のカードエッジ挿入方向が該ソケット３の取り付け面３ａに対して平行する方向を向いている。
【００３４】
コ字状の固定コネクタハウジング６の両側の起立部分の上部には、四角形の凹部６ａがそれぞれ設けられている。揺動コネクタハウジング７の長手方向の両側には、四角形の軸部７ａがそれぞれ突設されている。揺動コネクタハウジング７のこれら軸部７ａは、固定コネクタハウジング６の両側の起立部分の凹部６ａに嵌め込まれている。固定コネクタハウジング６の各凹部６ａに嵌め込まれた揺動コネクタハウジング７の各軸部７ａは、固定コネクタハウジング６の両側の起立部分の各凹部６ａに直交かる向きで設けられた溝６ｂに嵌め込まれた抜け止め部材１１の一端の押さえ部１１ａで抜け止めされている。抜け止め部材１１の他端には、この抜け止め部材１１で固定コネクタハウジング６を取り付け基板の半田付けランドに半田付けして固定する固定部１１ｂが設けられている。
【００３５】
このようなプリント基板相互の電気的接続構造でも、中継プリント基板５としてハード構造の中継ハードプリント基板を用いているので、このハード構造のプリント基板５はフレキシブルプリント基板に比べて安く、このため接続のための中継プリント基板５のコストを低減することができる。また、中継プリント基板５としてハード構造の中継ハードプリント基板を用いても、これを接続する各基板用コネクタソケット３としてフローティング構造の基板用フローティングコネクタソケットを用いているので、接続位置の狂いを各基板用コネクタソケット３の上下方向のフローティング構造で調整して容易に接続を行うことができる。
【００３６】
また、基板用フローティングコネクタソケット３が、固定コネクタハウジング６と、該固定コネクタハウジング６に組み込まれて該固定コネクタハウジング６に対して揺動する揺動コネクタハウジング７と、該揺動コネクタハウジング７のカードエッジ挿入長孔８に一端側の各接触部９ａを臨ませて該揺動コネクタハウジング７に組み込まれたコンタクト９とを備え、コンタクト９の反対側の端子部分９ｂが固定コネクタハウジング６に固定され、揺動コネクタハウジング７と固定コネクタハウジング６との間のコンタクト９の部分が該揺動コネクタハウジング７が揺動可能になるように屈曲された屈曲部９ｃとなっているので、コンタクト９によって固定コネクタハウジング６と揺動コネクタハウジング７との相互支持と、揺動コネクタハウジング７の揺動とを行わせることができて、部品点数が少なくなり、コストを低減することができる。
【００３７】
また、基板用フローティングコネクタソケット３として、カードエッジ挿入長孔８のカードエッジ挿入方向が該ソケット３の取り付け面３ａに対して平行する方向を向いているものを用いているので、基板用フローティングコネクタソケット３のカードエッジ挿入長孔８のカードエッジ挿入方向を該ソケット３の取り付け面３ａに対して平行する方向に向けることができ、ハード構造のプリント基板５をソケット３の取り付け面３ａに対して平行する方向にして基板用フローティングコネクタソケット３に差し込むことができる。
【００３８】
図９（Ａ）（Ｂ）（Ｃ）（Ｄ）は本発明に係るプリント基板相互の電気的接続構造の第３例で用いている揺動コネクタソケットの正面図、平面図、左側面図及び正面図のＺ−Ｚ線断面図である。なお、前出した図３（Ａ）〜（Ｄ）と対応する部分には同一符号を付けて示している。
【００３９】
本例のプリント基板相互の電気的接続構造では、取り付け面３ａに対して平行するカードエッジ挿入長孔８に臨むコンタクト９が該カードエッジ挿入長孔８の幅方向の片側に１列のみ存在する構造になっている。その他の構成は前述した図８（Ａ）（Ｂ）（Ｃ）（Ｄ）と同様になっている。この場合は、図２（Ａ）（Ｂ）に示すハード構造の中継ハードプリント基板５がその片面にのみ複数本の導体層が併設された構造になっている。
【００４０】
なお、前記例ではカードエッジ挿入長孔８の開口方向が同じ基板用フローティングコネクタソケット３を各プリント基板１，２に取り付けてプリント基板相互の電気的接続構造を形成した例について説明したが、本発明はこれらについてのみ限定されるものではなく、カードエッジ挿入長孔８の開口方向が図３（Ｄ）と図８（Ｄ）に示すように異なる基板用フローティングコネクタソケット３を各プリント基板１，２に取り付けてプリント基板相互の電気的接続構造を形成することもできる。この場合には、各プリント基板１，２の向きが直交する状態となる。
【図面の簡単な説明】
【００４１】
【図１】本発明に係るプリント基板相互の電気的接続構造の第１例を示した説明図である。
【図２】（Ａ）（Ｂ）は第１例で用いているハード構造の中継ハードプリント基板の正面図及び側面図である。
【図３】（Ａ）（Ｂ）（Ｃ）（Ｄ）は第１例で用いている揺動コネクタソケットの正面図、平面図、左側面図及び正面図のＸ−Ｘ線断面図である。
【図４】第１例のプリント基板相互の電気的接続構造の１つ目の変形例を示した説明図である。
【図５】第１例のプリント基板相互の電気的接続構造の２つ目の変形例を示した説明図である。
【図６】第１例のプリント基板相互の電気的接続構造の３つ目の変形例を示した説明図である。
【図７】本発明に係るプリント基板相互の電気的接続構造の第２例を示した説明図である。
【図８】（Ａ）（Ｂ）（Ｃ）（Ｄ）は第２例で用いている揺動コネクタソケットの正面図、平面図、左側面図及び正面図のＹ−Ｙ線断面図である。
【図９】本発明に係るプリント基板相互の電気的接続構造の第３例で用いている揺動コネクタソケットの正面図、平面図、左側面図及び正面図のＺ−Ｚ線断面図である。
【符号の説明】
【００４２】
１，２  プリント基板
３  基板用コネクタソケット
３ａ  取り付け面
４  カードエッジプラグ
４ａ  固定コンタクト
５  中継プリント基板としての中継ハードプリント基板
５ａ  ハード基板
５ｂ  絶縁層
６  固定コネクタハウジング
６ａ  凹部
６ｂ  溝
７  揺動コネクタハウジング
８  カードエッジ挿入長孔
９  コンタクト
９ａ  接触部
９ｂ  端子部分
９ｃ  屈曲部
１０  固定部材
１１  抜け止め部材
１１ａ  押さえ部
１１ｂ  固定部
【図１】
2007165128.tif 000003
【図２】
2007165128.tif 000004
【図３】
2007165128.tif 000005
【図４】
2007165128.tif 000006
【図５】
2007165128.tif 000007
【図６】
2007165128.tif 000008
【図７】
2007165128.tif 000009
【図８】
2007165128.tif 000010
【図９】
2007165128.tif 000011